(57)【要約】【課題】各種ドアの特に施錠装置部分の隙間内への異物等の押し込みを確実に阻止して、ドア強度を長期に亘り十分に高めることができるドア構造を提供する。【解決手段】幅方向の他端部がヒンジによってドア枠に開閉可能に取り付けられ一端部が施錠装置によって施錠可能に構成されたドア構造において、一方のドアの一端部に取り付けられた定規縁と該定規縁に対向する他方のドアの屋外側表面の少なくとも一方に閉塞部材が配設され、該閉塞部材により定規縁と他方のドアの屋外側表面との間に形成される隙間を閉塞して異物等の押し込みが阻止されることを特徴とする。前記閉塞部材は、付勢部材により他方のドアの屋外表面側に突出するように常時付勢される。【選択図】　図２
2004084362.tif 000002
【特許請求の範囲】
【請求項１】
幅方向の他端部がヒンジによってドア枠に開閉可能に取り付けられ一端部が施錠装置によって施錠可能に構成されたドア構造において、
前記ドアの一端部に定規縁が取り付けられると共に、該定規縁に少なくとも前記施錠装置部分に形成される隙間を閉塞して異物等の押し込みを阻止し得る閉塞部材が配設されていることを特徴とするドア構造。
【請求項２】
前記ドアが一対のドアで形成され、一方のドアの一端部に取り付けられた定規縁と該定規縁に対向する他方のドアの屋外側表面の少なくとも一方に前記閉塞部材が配設され、該閉塞部材により定規縁と他方のドアの屋外側表面との間に形成される前記隙間が閉塞されることを特徴とする請求項１に記載のドア構造。
【請求項３】
前記閉塞部材は、付勢部材によって他方のドアの屋外表面側に突出するように常時付勢されていることを特徴とする請求項２に記載のドア構造。
【請求項４】
前記閉塞部材は、シャッター状に形成されて、他方のドアの屋外側表面に当接するかもしくは屋外側表面に形成された凹溝に係合することを特徴とする請求項２または３に記載のドア構造。
【請求項５】
前記シャッター状の閉塞部材は、他方のドアの屋外側表面に対して垂直かもしくは先端部が隙間の開口方向に指向するように所定角度傾斜した状態で配設されて、前記隙間を閉塞することを特徴とする請求項４に記載のドア構造。
【請求項６】
前記定規縁は、内部に空洞を有する筒形状に形成されると共に前記閉塞部材が収容される溝が一体形成されていることを特徴とする請求項１ないし５のいずれかに記載のドア構造。
【発明の詳細な説明】
【０００１】
【発明の属する技術分野】
本発明は、住宅の玄関ドア等のドア構造に係わり、特にドアの反ヒンジ側端部に取り付けられる施錠装置部分の強度向上を図り得るドア構造に関する。
【０００２】
【従来の技術】
従来、玄関ドアとしては、親子タイプ、片開きタイプ、両開きタイプあるいは入親子タイプ等の各種ドアが使用されている。このうち、例えば親子タイプのドア１００は、図７に示すように、親ドア１０１と子ドア１０２の図示しない一端部が、ヒンジによってドア枠（いずれも図示せず）に開閉可能に取り付けられると共に、両ドア１０１、１０２の一端部１０１ａ、１０２ａには、例えばアルミニウムの押出し成型で形成された定規縁１０３、１０４が取り付けられている。
【０００３】
すなわち、親ドア１０１の一端部１０１ａで屋外側表面１０１ｂに取付部１０３ａと隙間閉塞部１０３ｂを有する平面視Ｌ字形状の定規縁１０３が、ネジ１０５等により固定され、子ドア１０２の一端部１０２ａで屋内側表面にパッキン１０６が一体的に組み込まれた定規縁１０４が固定されている。そして、定規縁１０３、１０４によって、親ドア１０１と子ドア１０２の一端部間に形成される隙間１０７が屋内外から閉塞され、塵埃等の屋内への進入防止や意匠性の向上が図られると共に、気密性が確保されている。
【０００４】
【発明が解決しようとする課題】
しかしながら、このようなドア構造にあっては、閉じた際に互いに略当接状態となる親ドア１０１と子ドア１０２の一端部１０１ａ、１０２ａの、特に施錠装置部分（図示せず）における強度を十分に高めることが難しいという問題点を有している。すなわち、両ドア１０１、１０２の良好な開閉動作を維持するためには親ドア１０１と子ドア１０２の一端部１０１ａ、１０２ａの端面間に隙間１０７を形成する必要があることから、この隙間１０７を閉塞する定規縁１０３、１０４が自ずと必要となり、定規縁１０３の隙間閉塞部１０３ｂを子ドア１０２の屋外側表面１０２ｂに完全に密着させれば、子ドア１０２の屋外側表面１０２ｂと定規縁１０３の隙間閉塞部１０３ｂ内面との間に隙間１０８は形成されない。
【０００５】
ところが、定規縁１０３が親ドア１０１に取り付けられていることから、この定規縁１０３の隙間閉塞部１０３ｂを子ドア１０２の屋外側表面１０２ｂに完全に密着させると、親ドア１０１の開閉動作がスムーズに行われない場合があり、ある程度の隙間１０８を設ける必要がある。また、仮に定規縁１０３の隙間閉塞部１０３ｂ内面と子ドア１０２の屋外側表面１０２ｂを密着状態で取り付けても、ネジ等による固着ではないことから、経時変化等により僅かな隙間１０８が生じる場合がある。そのため、この隙間１０８に例えば図７の二点鎖線で示すように、バール１０９の先端部等の異物がこじ入れられて施錠装置が破壊される虞があり、ドア１００の施錠装置部分に十分な強度を長期に亘り安定して確保することが難しくなる。
【０００６】
本発明は、このような事情に鑑みてなされたもので、その目的は、各種ドアの特に施錠装置部分の隙間内への異物等の押し込みを確実に阻止して、ドア強度を長期に亘り十分に高めることができるドア構造を提供することにある。また他の目的は、前記目的に加え、例えば親子タイプのドアに好適に使用し得るドア構造を提供することにある。
【０００７】
【課題を解決するための手段】
かかる目的を達成すべく、本発明のうち請求項１記載の発明は、幅方向の他端部がヒンジによってドア枠に開閉可能に取り付けられ一端部が施錠装置によって施錠可能に構成されたドア構造において、前記ドアの一端部に定規縁が取り付けられると共に、該定規縁に少なくとも前記施錠装置部分に形成される隙間を閉塞して異物等の押し込みを阻止し得る閉塞部材が配設されていることを特徴とする。
【０００８】
このように構成することにより、開閉可能なドアの反ヒンジ側端部である一端部に取り付けられた定規縁に閉塞部材が配設され、この閉塞部材により、定規縁とドアの屋外側表面あるいはドア枠等との間に形成される隙間が閉塞されて、該隙間内への異物等の押し込みが阻止される。この時、閉塞部材が定規縁の少なくとも施錠装置部分に形成される隙間を確実に閉塞することから、異物のこじ開け等の押し込みによる施錠装置の破壊等が防止されて、ドア強度が長期に亘り十分に高められる。
【０００９】
また、請求項２に記載の発明は、前記ドアが一対のドアで形成され、一方のドアの一端部に取り付けられた定規縁と該定規縁に対向する他方のドアの屋外側表面の少なくとも一方に前記閉塞部材が配設され、該閉塞部材により定規縁と他方のドアの屋外側表面との間に形成される前記隙間が閉塞されることが好ましい。このように構成することにより、例えば親ドアに取り付けられた定規縁かこの定規縁が対向する子ドアの屋外側表面に閉塞部材が配設され、この閉塞部材で子ドアの屋外側表面と定規縁との間の隙間が閉塞されることから、施錠状態の定規縁と子ドアの屋外側表面間の隙間への異物等の押し込みが確実に阻止されて、親子タイプ等のドアに好適に使用して該ドアの特に施錠装置部分の強度が十分に高められる。
【００１０】
そして、前記閉塞部材は、請求項３に記載の発明のように、付勢部材によって他方のドアの屋外表面側に突出するように常時付勢されていることが好ましい。このように構成することにより、閉塞部材が付勢部材で隙間閉塞方向に常時付勢されていることから、定規縁と例えば子ドアの屋外側表面間の隙間を確実に閉塞できて、隙間内への異物等の押し込みを一層確実に阻止できる。
【００１１】
また、前記閉塞部材は、請求項４に記載の発明のように、シャッター状に形成されて、他方のドアの屋外側表面に当接するかもしくは屋外側表面に形成された凹溝に係合することが好ましく、この場合、シャッター状の閉塞部材は、請求項５に記載の発明のように、他方のドアの屋外側表面に対して垂直かもしくは先端部が隙間の開口方向に指向するように所定角度傾斜した状態で配設されて、前記隙間を閉塞することが好ましい。
【００１２】
このように構成することにより、閉塞部材がシャッター状に形成されて例えば子ドアの屋外側表面に当接したり表面の凹溝に係合することから、閉塞部材で隙間がより確実に閉塞されて、隙間内への異物等の押し込みがより一層確実に阻止される。また、シャッター状の閉塞部材が、子ドアの屋外側表面に垂直かもしくは先端部が隙間の開口方向に位置するように傾斜した状態で定規縁に配設されることから、閉塞部材自体の押込力に対する強度を一層高めることができて、隙間内への異物等の押し込みがより一層確実に阻止される。
【００１３】
また、前記定規縁は、請求項６に記載の発明のように、内部に空洞を有する筒形状に形成されると共に前記閉塞部材が収容される溝が一体形成されていることが好ましい。このように構成することにより、閉塞部材が配設される定規縁が例えばアルミニウムの押出し成型等により内部に空洞を有する筒形状に形成されていることから、定規縁自体の剛性を高めることができてその変形等が防止されると共に、閉塞部材を溝に強固に取り付けできて隙間内への異物等の押し込みがより一層確実に阻止される。
【００１４】
【発明の実施の形態】
以下、本発明の実施の形態を図面に基づいて詳細に説明する。
図１〜図３は、本発明に係わるドア構造を採用した玄関ドアの一実施例を示し、図１がその正面図、図２がその要部の断面図、図３が閉塞部材の正面図及びそのＡ−Ａ線断面図である。
【００１５】
図１において、玄関ドア１は、親ドア２と子ドア３を有し、親ドア２の幅方向の他端部２ｂ（図において右側端部）と子ドア３の幅方向の他端部３ｂ（図において左端部）は、図示しないヒンジによってドア枠４に開閉可能に取り付けられている。また、親ドア２の略中央位置にはガラス５が額縁６によって取り付けられると共に、親ドア２の反ヒンジ側端部である一端部２ａの所定高さ位置には施錠装置としてのロックセット７が取り付けられている。なお、親ドア２と子ドア３は、例えば框部やパネル部を形成する無垢集成材と、断熱材、強化シート及び化粧板等（いずれも図示せず）によって形成されている。
【００１６】
そして、親ドア２と子ドア３の一端部２ａ、３ａには、定規縁８、９が取り付けられている。すなわち、図２に示すように、親ドア２の一端部２ａに取り付けられる定規縁８は、例えばアルミニウムの押出し成型により内部に空洞８ｃを有する筒形状に形成され、親ドア２の一端部２ａの端面にネジ１０によって取り付けられる取付部８ａと、この取付部８ａに一体形成され親ドア２の屋外側表面２ｃに密着しつつ子ドア３の屋外側表面３ｃ方向に伸びて該表面３ｃと所定の隙間１１を有する隙間閉塞部８ｂを備えている。
【００１７】
また、この定規縁８には、隙間閉塞部８ｂの内面側に玄関ドア１の屋内外の機密性等を維持するパッキン１２が一体的に配設されると共に、このパッキン１２の外側（図において左側）には閉塞部材としてのシャッター板１３が配設されている。このシャッター板１３は、例えばステンレススチール板等の変形し難い金属板で所定の剛性を有するように形成され、板厚の薄い突出部１３ａと板厚の厚い嵌合部１３ｂを有している。
【００１８】
そして、シャッター板１３は、図２及び図３に示すように、その嵌合部１３ｂが定規縁８の端部に形成された嵌合溝１５に圧縮バネ１４を介して嵌装されると共に、突出部１３ａが定規縁８のスリット１６から圧縮バネ１４の付勢力によって、子ドア３の屋外側表面３ｃ方向に直交状態で常時突出するようになっている。この時、シャッター板１３は、図１に示すように、親ドア２のロックセット７が配置される部分に配置されて、その長さＬ１が少なくともロックセット７の長さＬ２より所定寸法長くなるように設定されている。
【００１９】
この定規縁８から突出するシャッター板１３の突出部１３ａが、子ドア３の屋外側表面３ｃに圧縮バネ１４の付勢力に応じて所定圧で当接することにより、定規縁８の内面と子ドア３の屋外側表面３ｃとの間に形成される隙間１１が図２の矢印イ方向において閉塞されて、後述する如く隙間１１内への異物としてのバール１７等の押し込みが阻止されるようになっている。なお、シャッター板１３の突出部１３ａの先端角部は面取りされることにより、親ドア２の開放時の安全性の確保が図られている。
【００２０】
また、シャッター板１３と子ドア３の屋外側表面３ｃとの関係は、この例に限定されず、例えば図２の二点鎖線ａ、ｂ及び三点鎖線ｃで示すように構成することもできる。すなわち、図２の二点鎖線ａで示すように、子ドア３の屋外側表面３ｃにシャッター板１３の長さＬ１に対応した凹溝１８を形成し、この凹溝１８内にシャッター板１３の突出部１３ａ先端を嵌入させて、バール１７等の押し込み時に加わる力（押込力）に対するシャッター板１３の強度を高めることもできる。
【００２１】
また、図２の二点鎖線ｂで示すように、シャッター板１３を、その突出部１３ａ先端が隙間１１（定規縁８）の開口（外側）方向に位置するように定規縁８に傾斜した状態で配設して、シャッター板１３のバール１７等の押込力に対する強度を一層高めることもできる。さらに、図２の三点鎖線ｃで示すように、子ドア３の一端部３ａの屋外側表面３ｃに嵌合溝１５とスリット１６を形成し、これに嵌合部１３ｂと突出部１３ａを有するシャッター板１３を配設して、隙間１１を閉塞するようにしても良く、この場合、屋外側表面３ｃと定規縁８の両方にシャッター板１３を配設すれば、バール１７等の隙間１１内への押し込みをより確実に阻止ることができる。
【００２２】
一方、子ドア３の一端部３ａに取り付けられる定規縁９は、例えばアルミニウムの押出し成型により忠実状に形成され、子ドア３の一端部３ａの端面に図示しないネジによって取り付けられる取付部９ａと、この取付部９ａに一体形成され子ドア３の屋内側根表面に密着しつつ親ドア２の屋内側表面方向に伸びて、該屋内側表面と所定の隙間１９を有する隙間閉塞部９ｂを備えている。
【００２３】
そして、この定規縁９によって、親ドア２と子ドア３の一端部２ａ、３ａ間に形成される隙間２０が屋内側から閉塞され、この定規縁９と該定規縁９に取り付けられた図示しないパッキン、及び前記定規縁８及びそのパッキン１２等によって、前記隙間２０の屋内外が閉塞されて、塵埃等の屋内への進入防止や気密性が確保されるようになっている。
【００２４】
この玄関ドア１は、親ドア２の高さに相当する長さの定規縁８に、ロックセット７下部に底部を有する縦方向（長手方向）の前記嵌合溝１５とスリット１６を形成し、この嵌合溝１５内に後面に圧縮バネ１４が溶接等されたシャッター板１３の嵌合部１３ｂを上方から押し込みつつ下降させ、嵌合部１３ｂの下面を嵌合溝１５の底部に当接させる。
【００２５】
この状態で、嵌合溝１５やスリット１６のシャッター板１３が位置しない部分に、嵌合溝１５及びスリット１６と略同一形状を有するスペーサ等の固定部材２１（図３参照）を嵌合溝１５とスリット１６に嵌合固定させ、この固定部材２１を定規縁８と共に例えば同じ塗装を施すことにより、固定部材２１を定規縁８に目立たない状態で一体化させる。
【００２６】
そして、このように定規縁８にシャッター板１３が配設された玄関ドア１によれば、親ドア２を子ドア３側に閉じてロックセット７をセットした状態（施錠状態）において、親ドア２の定規縁８の隙間閉塞部８ｂが子ドア３の一端部３ａの屋外側表面３ｃに所定の隙間１１を有して対向した状態となる。また、施錠状態において、定規縁８に配設されたシャッター板１３が圧縮バネ１４の付勢力によって、突出部１３ａが子ドア３の屋外側表面３ｃ方向に突出してその先端部が該表面３ｃに所定圧で当接する。
【００２７】
このシャッター板１３の突出部１３ａの屋外側表面３ｃへの当接により、隙間１１が閉塞された状態となり、図２の二点鎖線で示すように、バール１７先端部等の異物を隙間１１の開口端をこじ開けて隙間１１内に押し込もうとしても、シャッター板１３でその進入（押し込み）が阻止される。これにより、バール１７等の隙間１１への押し込みにより定規縁８やロックセット７が破壊等されて、親ドア２と子ドア３の施錠状態が解除されることを防ぐことができ、この時、シャッター板１３がロックセット７の配置部分で該ロックセット７の長さＬ２より長い長さＬ１を有して配設されていることから、隙間１１内へのバール１７等の押し込みによるロックセット７の破壊等が確実に防止されることになる。
【００２８】
このように、上記実施例の玄関ドア１にあっては、親ドア２と子ドア３との間に形成される隙間２０を閉塞する定規縁８に、該定規縁８の隙間閉塞部８ｂの内面と子ドア３の屋外側表面３ｃとに形成される隙間１１を閉塞するシャッター板１３を配設しているため、このシャッター板１３で隙間１１へのバール１７のこじ開けによる押し込み等を確実に阻止でき、異物等の押し込みに対する玄関ドア１の強度を十分に高めることができて、ロックセット７の破壊等を確実に防止することが可能になる。
【００２９】
また、シャッター板１３が圧縮バネ１４の付勢力でその突出部１３ａが子ドア３の屋外側表面３ｃに常時当接するように付勢されているため、シャッター板１３の突出部１３ａ先端を常に屋外側表面３ｃに密着させることができて、バール１７等の押し込みを確実に阻止できると共に、シャッター板１３が屋外側表面３ｃに対して直交する方向に進退して隙間１１を閉塞するため、シャッター板１３の材質による剛性と併せ、シャッター板１３にバール１７等の異物の押込力に対する強度（剛性）を十分に確保できて、隙間１１内への異物等の押し込みを一層確実に阻止することができる。
【００３０】
特に、シャッター板１３の突出部１３ａ先端が子ドア３の屋外側表面３ｃに設けた凹溝１８に嵌入するように構成すれば、玄関ドア１の施錠状態において、シャッター板１３の突出部１３ａ先端が凹溝１８に嵌入しているため、押込力に対してシャッター板１３に強い強度を保つことができて、隙間１１内へのバール１７等の押し込みを一層確実に阻止することができる。また、シャッター板１３を子ドア３の屋外側表面３ｃに対して、突出部１３ａ先端が隙間１１の開口側に位置するように傾斜状態で配設すれば、隙間１１内に押し込まれるバール１７等に対するシャッター板１３の抗力を一層高めることができて、隙間１１内へのバール１７等の押し込みを一層確実に阻止することができる。
【００３１】
さらに、定規縁８のシャッター板１３が親ドア２のロックセット７の位置に対応して配設されると共に、その長さＬ１がロックセット７の長さＬ２より長く設定されているため、親ドア２と子ドア３の施錠状態を維持するロックセット７部分へのバール１７等の押し込みを確実に阻止することができる。また、シャッター板１３が定規縁８の内面側に突出する状態で配設されて、定規縁８の外面側（屋外側）から視認されないため、シャッター板１３の位置を第三者に隠すことができて、バール１７等の押し込みの困難性を一層高めることもできる。
【００３２】
また、親ドア２に取り付けられる定規縁８が、アルミニウムの押出し成型により内部に空洞８ｃを有する如く筒形状に形成されているため、定規縁８の軽量化を図りつつ定規縁８自体の剛性を高めることができて、バール１７等の押し込み等による変形を抑えることができると共に、その空洞８ｃによって得られるバネ性でバール１７押し込み時の変形を基に戻す（復元）作用が得られて、バール１７等の隙間１１への押し込みを一層確実に抑えることができる。
【００３３】
また、シャッター板１３が圧縮バネ１４等を介して定規縁８に配設されるため、玄関ドア１自体変えることなく定規縁８の変更で対応することができて、例えば既存の玄関ドア１にも容易に適用できる等、玄関ドア１の構造自体を簡易に構成することができる。これらのことから、ロックセット７の破壊等が困難で防犯性に優れかつ構成簡易にして安価な玄関ドア１を提供することが可能になり、特に親ドア２と子ドア３を有する親子タイプ（入隅親子タイプも含む）の玄関ドア１に好適に使用することができる。
【００３４】
図４〜図６は本発明に係わるドア構造のそれぞれ他の実施例を示している。以下、上記実施例と同一部位には同一符号を付して説明する。先ず、図４及び図５に示す実施例のドア構造の特徴は、定規縁８へのシャッター板１３の配設構造にあり、図４に示す場合、所定長さの複数個のシャッター板１３を定規縁８のロックセット７部分と親ドア２の高さ方向の上部及び下部にそれぞれ取り付けたものである。また、図５に示す場合は、１枚の長尺状のシャッター板１３を親ドア２の高さ方向（定規縁８の長手方向）の略全域に亘って取り付けたものである。
【００３５】
これらの実施例においても、シャッター板１３でバール１７等の押し込みを阻止できて、上記実施例の同様の作用効果が得られる他に、複数個（図では３個の）のシャッター板１３もしくは１枚の長尺状のシャッター１３で、ロックセット７部分のみならず、親ドア２の上部や下部へのバール１７等の押し込みを阻止できて、親ドア２のロックセット７部分の破壊等を一層確実に防止することができるという作用効果が得られる。
【００３６】
また、図６に示す実施例のドア構造の特徴は、定規縁８のシャッター板１３が嵌合される嵌合溝１５やスリット１６を、例えばロックセット７部分のみに部分的に設けた点にある。すなわち、定規縁８にシャッター板１３の長さＬ１と略同一長さでかつその底部が嵌合部１３ｂに対応した方形状の凹溝２３を予め形成し、この凹溝２３内に圧縮バネ１４付きのシャッター板１３の嵌合部１３ｂを嵌装させて、シャッター板１３の突出部１３ａが位置する凹溝２３の開口側に固定部材２４を溶接等によって固定し、シャッター板１３の凹溝２３からの抜けを防止する。
【００３７】
そして、固定部材２４を定規縁８と同じ塗装等することで目立たないようにする。この実施例においても、シャッター板１３でバール１７等の押し込みを阻止できて、上記実施例と同様の作用効果が得られると共に、シャッター板１３を定規縁８の所望位置に目立たないようにして容易に取り付けできるという作用効果が得られる。
【００３８】
なお、本発明は上記した各実施例のそれぞれに限定されるものでもなく、各実施例を適宜に組み合わせることもできるし、シャッター板１３の親ドア３の高さ方向や隙間１１の内外方向（矢印イ方向）における配設個数等の取付構造や取付位置も一例であって、少なくともロックセット７部分への異物の押し込みを阻止し得る適宜構造を採用できるし、閉塞部材としてのシャッター板１３の形状も異物の押し込みを阻止し得る適宜の形状等を採用することができる。また、定規縁８も空洞８ｃを有する筒形状に限定されるものでもなく、忠実状の定規縁８を使用することも勿論可能である。
【００３９】
また、上記実施例においては、玄関ドア１が入隅親子タイプを含む親子タイプである場合について説明したが、本発明はこれに限定されず、例えば両開きタイプの一対のドア間にも適用することができるし、片開きタイプにも適用することができ、この片開きタイプの玄関ドア等の場合は、ドア本体とドア枠との間に形成される隙間を閉塞する定規縁に閉塞部材を配設すれば良い。
【００４０】
【発明の効果】
以上詳述したように、請求項１に記載の発明によれば、ドアの幅方向の一端部に取り付けられた定規縁に、少なくとも施錠装置部分に形成される隙間を閉塞して異物の押し込みを阻止し得る閉塞部材が配設されているため、閉塞部材により定規縁の少なくとも施錠装置部分に形成される隙間を確実に閉塞することができて、異物等の隙間内への押し込みによる施錠装置の破壊等が防止され、ドア強度を長期に亘り十分に高めることができる。
【００４１】
また、請求項２に記載の発明によれば、請求項１に記載の発明の効果に加え、例えば親子ドアの親ドアに取り付けられた定規縁あるいは子ドアの定規縁と対向する屋外側表面に閉塞部材が配設され、この閉塞部材で子ドアの屋外側表面と定規縁との間の隙間が閉塞されるため、施錠状態の定規縁と子ドアの屋外側表面間の隙間内への異物等の押し込みを確実に阻止することができて、親子タイプのドア等における施錠装置部分の強度を十分に高めることができる。
【００４２】
また、請求項３に記載の発明によれば、請求項２に記載の発明の効果に加え、閉塞部材が付勢部材によって隙間閉塞方向に常時付勢されているため、定規縁と例えば子ドアの屋外側表面間の隙間を確実に閉塞することができて、異物等の押し込みを一層確実に阻止することができる。
【００４３】
また、請求項４に記載の発明によれば、請求項２または３に記載の発明の効果に加え、閉塞部材がシャッター状に形成されて例えば子ドアの屋外側表面に当接したり表面の凹溝に係合するため、閉塞部材で隙間をより確実に閉塞することができて、隙間内への異物等の押し込みをより一層確実に阻止することができる。
【００４４】
また、請求項５に記載の発明によれば、請求項４に記載の発明の効果に加え、シャッター状の閉塞部材が、子ドアの屋外側表面に垂直かもしくは先端部が隙間開口側に位置するように傾斜した状態で定規縁に配設されるため、閉塞部材自体の強度を一層高めることができて、隙間内への異物等の押し込みをより一層確実に阻止することができる。
【００４５】
また、請求項６に記載の発明によれば、請求項１ないし５に記載の発明の効果に加え、閉塞部材が配設される定規縁が例えばアルミニウムの押出し成型等で内部に空洞を有する筒形状に形成されているため、軽量化した状態で定規縁自体の剛性を高めることができると共に、閉塞部材を溝に強固に取り付けできて、隙間内への異物等の押し込みをより一層確実に阻止することができ、ドア強度を一層高めることができる等の効果を奏する。
【図面の簡単な説明】
【図１】本発明に係わるドア構造を採用した玄関ドアの一実施例を示す正面図
【図２】同その要部の断面図
【図３】同その閉塞部材を示し、（ａ）が正面図、（ｂ）が（ａ）のＡ−Ａ線断面図
【図４】本発明に係わるドア構造の他の実施例を示す概略正面図
【図５】本発明に係わるドア構造のさらに他の実施例を示す概略正面図
【図６】本発明に係わるドア構造のさらに他の実施例を示し、（ａ）がその閉塞部材の正面図、（ｂ）が（ａ）のＢ−Ｂ線断面図
【図７】従来のドア構造の図２と同様の断面図
【符号の説明】
１・・・・・・・・・玄関ドア
２・・・・・・・・・親ドア
２ａ・・・・・・・・一端部
２ｂ・・・・・・・・他端部
２ｃ・・・・・・・・屋外側表面
３・・・・・・・・・子ドア
３ａ・・・・・・・・一端部
３ｂ・・・・・・・・他端部
３ｃ・・・・・・・・屋外側表面
７・・・・・・・・・ロックセット
８・・・・・・・・・定規縁
８ａ・・・・・・・・取付部
８ｂ・・・・・・・・隙間閉塞部
８ｃ・・・・・・・・空洞
９・・・・・・・・・定規縁
９ａ・・・・・・・・取付部
９ｂ・・・・・・・・隙間閉塞部
１１・・・・・・・・隙間
１３・・・・・・・・シャッター板
１３ａ・・・・・・・突出部
１３ｂ・・・・・・・嵌合部
１４・・・・・・・・圧縮バネ
１５・・・・・・・・嵌合溝
１６・・・・・・・・スリット
１７・・・・・・・・バール
１８・・・・・・・・凹溝
２０・・・・・・・・隙間
【図１】
2004084362.tif 000003
【図２】
2004084362.tif 000004
【図３】
2004084362.tif 000005
【図４】
2004084362.tif 000006
【図５】
2004084362.tif 000007
【図６】
2004084362.tif 000008
【図７】
2004084362.tif 000009